(57)【要約】【課題】低消費電力で、かつ表示画面の焼き付きを防止する半導体回路装置を提供することを目的とする。【解決手段】本発明は、画面表示回数をカウントする表示カウンタ回路と走査線のオンオフを制御するカウンタ回路を設け、記憶回路に記憶された表示データを切り替えるタイミングで、表示走査線のオンする走査線数を増加、減少させることで記憶回路に記憶された表示データを変更することなく、表示画面の焼き付きを防止する。【選択図】      図１
2004317893.tif 000002
【特許請求の範囲】
【請求項１】
駆動すべきマトリクス型の表示パネルの列信号線に表示データ記憶回路から表示データを供給し、行信号線に走査信号出力回路から走査信号を供給して前記表示パネルに表示データの内容を表示させる表示パネル駆動装置であって、
走査信号が一巡するフレーム毎に表示オン領域と表示オフ領域とを増減させるように走査信号出力回路の出力を制御する制御信号を制御するように構成した
表示パネル駆動装置。
【請求項２】
走査信号出力回路の出力を制御する制御信号の制御回路は、
フレーム信号から１フレームの完了を検出するたびに出力カウント値をプリセット値づつ変更するフレームカウンタ回路と、
表示クロックを計数してフレーム表示の開始から前記フレームカウンタ回路の出力に達するまでの期間とフレームカウンタ回路の出力を越えてからそのフレームを終了するまでの期間とで出力のレベルを反転させる比較回路と、
前記比較回路の出力と走査制御信号とを入力して走査信号出力回路を制御する制御信号を出力する論理積回路と
を有している請求項１記載の表示パネル駆動装置。
【発明の詳細な説明】
【０００１】
【発明の属する技術分野】
本発明は、マトリクス型の表示パネルの駆動に使用される表示パネル駆動装置に関するものである。
【０００２】
【従来の技術】
この種の表示パネル駆動装置は図３に示すように構成されている。
１はマトリクス型の表示パネル、２は表示パネル１を駆動するための電源回路、３は表示データを出力するための表示データ出力回路、４は走査信号を出力するための走査信号出力回路、５は表示データを保存する表示データ記憶回路、６は制御回路である。７はインターフェイス回路である。
【０００３】
制御回路６は、表示データ記憶回路５と表示データ出力回路３と走査信号出力回路４を制御して、図４に示すように表示データ１７と走査信号１８を表示パネル１に供給して表示している。
【０００４】
表示データ１７は、表示データ出力回路３から表示内容に応じて表示パネル１の列入力Ｘ１〜Ｘｎに信号が供給される。
走査線信号１８は、表示パネル１の行入力Ｙ１〜Ｙｎに順次オン信号が供給され、順次シフトして最終段（Ｙｎ）まで走査すると再び初段（Ｙ１）にもどり本動作が繰り返される。ＬＰは表示クロックを示している。
【０００５】
走査線信号１８は表示クロックＬＰのタイミングで順次シフトして、表示データがオンで走査線信号がオンの時、表示パネル１のその画素がオンし表示される。
【０００６】
なお、制御信号６Ａは、走査信号出力回路４からの走査線信号１８を制御する信号であり、走査線信号１８はＹ１から順番に出力信号がオンして行き、制御信号６Ａが入力されたときに走査線信号１８の出力をオフする。
【０００７】
図５は図４に示したタイミングにおける表示結果を示し、黒丸は表示オン状態の画素、白丸は表示オフ状態の画素を示している（例えば、特許文献１参照）。
【０００８】
【特許文献１】
特開平８−２８６６４７号
【０００９】
【発明が解決しようとする課題】
上記のような従来の表示パネル駆動装置では、時間が経過しても表示データ１７が切り替わらない静止画面などの表示時には、常にオンしている画素が固定するため、表示パネル１の表示画面が焼き付く問題がある。
【００１０】
これを解決するためには、表示データ１７を保存している表示データ記憶回路５を常に書き換えて表示を切り替えながら目的の静止画面などを表示させる事が考えられるが、表示データ記憶回路５の書き換えを実行すると、表示データ出力回路３、走査信号出力回路４、表示データ記憶回路５、制御回路６、インターフェイス回路７などで構成されている半導体回路装置の消費電力が増加する問題がある。半導体回路装置の消費電力が増加した場合には、携帯端末装置などの低消費電力を要望される表示パネル駆動装置には適さない。
【００１１】
本発明はこの課題を解決するもので、低消費電力で、かつ表示画面の焼き付きを防止できる表示パネル駆動装置を提供することを目的とする。
【００１２】
【課題を解決するための手段】
本発明の表示パネル駆動装置は、駆動すべきマトリクス型の表示パネルの列信号線に表示データ記憶回路から表示データを供給し、行信号線に走査信号出力回路から走査信号を供給して前記表示パネルに表示データの内容を表示させる表示パネル駆動装置であって、走査信号が一巡するフレーム毎に表示オン領域と表示オフ領域とを増減させるように走査信号出力回路の出力を制御する制御信号を制御するように構成したことを特徴とする。
【００１３】
この構成によれば、表示データ記憶回路に記憶された表示データを変更することなく、表示画面領域を増減あるいは加減することが可能なため、画面の焼き付きが防止できかつ低消費電力の表示パネル駆動装置を得ることが出来る。
【００１４】
【発明の実施の形態】
以下、本発明の実施の形態を図１と図２に基づいて説明する。
本発明の表示パネル駆動装置の全体の構成は図３と同じであるが、走査信号出力回路４の出力をオン状態とオフ状態とに切り換える制御信号６Ａを発生している前記制御回路６の構成が、図１に示すように構成されている点だけが従来とは異なっている。
【００１５】
この構成によると、図２に示すように表示を順次に増加あるいは減少するような表示を実現して焼き付きを防止している。この図２では１フレーム毎に表示状態が矢印１００方向に進行しており、表示データ１７の内容はタイミングＴのように“Ａ８”を表示するデータである。各フレームの１０１が表示オン領域、１０２が表示オフ領域である。
【００１６】
制御回路６のうちの制御信号６Ａに関する部分については、図１に示すようにレジスタ回路８とフレームカウンタ回路９と走査線カウンタ回路１０と比較回路１１および論理積回路１５とで次のように構成されている。
【００１７】
レジスタ回路８には、１フレーム毎に表示領域を変化させる増減時間：ｔ（図２のｔ）のカウント値が設定される。
フレームカウンタ回路９はレジスタ回路８の出力である増減時間ｔのカウント値をプリセット値として、フレーム信号１２から１フレームの完了を検出するたびに増減時間ｔづつ増加した時間信号（ｔ，２ｔ，３ｔ，・・・・，（ｎ・ｔ），ｔ，２ｔ，・・・・）のカウント値を出力する。
【００１８】
走査線カウンタ回路１０は、各フレームの表示開始からの表示クロックＬＰの数を計数した信号を出力する。
比較回路１１は、走査線カウンタ回路１０の出力がフレームカウンタ回路９の出力に達するまでは表示オン領域１０１であると判定して出力を“Ｈ”レベルとし、走査線カウンタ回路１０の出力がフレームカウンタ回路９の出力を越えてからそのフレームを終了するまでは表示オフ領域１０２であると判定して出力を“Ｌ”レベルに反転させる。
【００１９】
論理積回路１５は、比較回路１１の出力と走査制御信号１４とを入力して、各フレームの表示オン領域１０１だけに限って走査制御信号１４を前記制御信号６Ａとして走査信号出力回路４に出力している。
【００２０】
よって、１画面を表示するフレーム回数が多くなると、表示パネル１における出力領域は図２に示すように、表示パネル１の下側から上側に向かって、前記レジスタ８にセットされた値に応じた分づつ表示オン領域１０１が増加して、タイミングＴにおいて全体が表示オン領域１０１になり、その後は、タイミングＴ１で全体が表示オフ領域１０２になってから、表示パネル１の上側から下側に向かって、前記レジスタ８にセットされた値に応じた分づつ表示オン領域１０１が増加して、順次に増加あるいは減少するような表示を実現でき、表示データ記憶回路５の内容を同じ表示データに繰り返し書き換えるような処理を実行しなくても、焼き付くことなく同じ表示内容を維持できる。
【００２１】
続いて図２の下段のように表示を得るために、フレームカウンタ９は、レジスタ回路８の出力である増減時間：ｔのカウント値をリセット値として、フレーム信号１２から１フレームの完了を検出するたびに増減時間：ｔづつ減少した時間のカウント値を出力する。
【００２２】
上記の実施の形態では、表示オン領域が表示パネルの下から上に増加し、全消去後に上から下に表示オン領域が増加したが、レジスタ回路８の設定およびフレームカウンタ回路９の動作のさせ方によって、下記の何れも同様に実施できる。
・  表示オン領域が表示パネルの下から上に増加し、全消去後に下から上に表示オン領域が増加する繰り返し動作も可能である。
・    表示オン領域が表示パネルの上から下に増加し、全消去後に下から上に表示オン領域が増加する繰り返し動作も可能である。
・  表示オン領域が表示パネルの上から下に増加し、全消去後に下から上に表示オン領域が増加する繰り返し動作も可能である。
【００２３】
【発明の効果】
以上のように本発明の表示パネル駆動装置は、記憶装置に保存されている画像表示データ内容を書き換えることなく表示画面の状態を変化させることができ、低消費電力でありながら表示パネルの焼き付きを防ぐことができるものである。
【図面の簡単な説明】
【図１】本発明の実施の形態の表示パネル駆動装置の要部構成図
【図２】同実施の形態の表示パネルの表示状態の時系列変化の説明図
【図３】従来の液晶表示パネルと表示パネル駆動装置の構成図
【図４】従来の表示データと走査信号のタイムチャート
【図５】図４のタイムチャート時の表示パネルの表示状態の説明図
【符号の説明】
１    表示パネル
３    表示データ出力回路
４    走査信号出力回路
５    表示データ記憶回路
６    制御回路
６Ａ    制御信号
７        インターフェイス回路
８    レジスタ回路
９    フレームカウンタ回路
１０    走査線カウンタ回路
１１    比較回路
１２    フレーム信号
１４    走査制御信号
１５    論理積回路
１７    表示データ
１８    走査信号
１０１    表示オン領域
１０２    表示オフ領域
Ｘ１〜Ｘｎ    列信号線
Ｙ１〜Ｙｎ    行信号線
【図１】
2004317893.tif 000003
【図２】
2004317893.tif 000004
【図３】
2004317893.tif 000005
【図４】
2004317893.tif 000006
【図５】
2004317893.tif 000007